(57)【特許請求の範囲】
【請求項１】
携帯型の電子機器を保持するための接続部を有するプロジェクターであって、
前記接続部に前記電子機器が保持された状態で該電子機器と前記プロジェクターが当接するようになっており、その当接位置の前記プロジェクターの外面に受部を有し、
前記接続部は、前記電子機器を保持するためのコネクト部を備え、
該コネクト部は、前記電子機器を、前記受部を配置している方向に回動可能に保持し、
前記電子機器を電気的に前記プロジェクターの本体と接続するコネクターと、
前記コネクターを回動可能に支持する回動支持部と、
を備え、
前記接続部は前記コネクターを所定の角度で起立させるように前記コネクターを付勢する付勢部を備え、当該付勢部は、前記コネクト部を前記プロジェクターの筐体側とは反対方向に回転させるように付勢することを特徴とするプロジェクター。
【請求項２】
請求項１に記載のプロジェクターであって、
前記コネクト部に前記電子機器が装着された場合、当該電子機器の自重により、前記電子機器は前記付勢に抗して前記受部側に回動し、前記受部に当接することを特徴とするプロジェクター。
【請求項３】
請求項１または請求項２に記載のプロジェクターであって、
前記コネクト部は、前記プロジェクターの本体とは別部材で構成される移動部に配設されており、
該移動部を移動させることで、前記コネクト部は前記電子機器を装着可能な露出状態になることを特徴とするプロジェクター。
【請求項４】
請求項３に記載のプロジェクターであって、
前記接続部は、前記移動部を前記プロジェクターの本体に対して出入り移動させるための駆動機構部を備えているプロジェクター。
【請求項５】
請求項４に記載のプロジェクターであって、
前記駆動機構部は、前記移動部を直線状に移動させるためのスライド機構部を備え、
前記スライド機構部は、
前記移動部を出入りさせる送出方向に沿って該移動部に設置されるスライド用ラックと、
前記プロジェクターの本体に配置され、前記スライド用ラックと噛み合うスライド用ピニオンと、
を備えることを特徴とするプロジェクター。
【発明の詳細な説明】
【技術分野】
【０００１】
本発明は、プロジェクターに関する。
【背景技術】
【０００２】
近年、携帯型のメディアプレーヤーをスピーカー装置等に接続し、メディアプレーヤー内部に格納されている音声データを、増幅した音声として出力させること等が行われている。
【０００３】
特許文献１では、携帯型のメディアプレーヤーをプロジェクターに構成される接続部に接続し、メディアプレーヤー内部に格納されている画像データをプロジェクターからスクリーン等に画像として拡大投写させ、また、メディアプレーヤー内部に格納されている音声データをプロジェクターに付属するスピーカーから音声として出力させること等が開示されている。
【先行技術文献】
【特許文献】
【０００４】
【特許文献１】米国特許第７５９９１７７号明細書
【発明の概要】
【発明が解決しようとする課題】
【０００５】
しかし、特許文献１では、接続部は、プロジェクターの所定の場所に固定されて構成されている。そして、接続部に設置されてメディアプレーヤーと電気的に接続するコネクターは、常に外部に露出した状態となっている。この構成によると、露出したコネクターに、例えば塵埃が付着して、電気的な接続状態が不安定となること等、外的要因によるコネクターとメディアプレーヤーとの電気的な接続の信頼性低下が課題となる。また、接続部を常に露出する構成により、プロジェクターのデザインの自由度が制限されるという課題がある。また、コネクターにメディアプレーヤーを接続するだけの状態でメディアプレーヤーを固定した場合には、外力等に対してメディアプレーヤーの固定が不安定となり易く、機構的な接続の信頼性低下が課題となる。また、接続したメディアプレーヤーの固定が不安定となることにより、接続したメディアプレーヤーでのキー操作等が安定して行えないという課題もある。
従って、携帯型のメディアプレーヤーとの電気的及び機構的な接続の信頼性を向上させ、デザインの自由度も向上させるプロジェクターが要望されていた。
【課題を解決するための手段】
【０００６】
本発明は、上述した課題の少なくとも一部を解決するためになされたものであり、以下の適用例として実現することが可能である。
【０００７】
（適用例１）本適用例に係るプロジェクターは、携帯型の電子機器を保持するための接続部を有するプロジェクターであって、前記接続部に前記電子機器が保持された状態で該電子機器と前記プロジェクターが当接するようになっており、その当接位置の前記プロジェクターの外面に受部を備えていることを特徴とする。
【０００８】
このようなプロジェクターによれば、電子機器を受部に当接させることにより、電子機器に対して、機構的に安定した載置（固定あるいは保持ともいう）を行うことができる。従って、電子機器とコネクト部（プロジェクター）との機構的な接続の信頼性を向上させることができる。
【０００９】
（適用例２）上記適用例に係るプロジェクターにおいて、前記接続部は、前記電子機器を保持するためのコネクト部を備え、該コネクト部は、前記電子機器を、前記受部を配置している方向に回動可能に保持することが好ましい。
【００１０】
このようなプロジェクターによれば、接続した電子機器をプロジェクター側の所望の部分に回動させて当接させることが可能となり、コネクト部への応力集中を低減し、電子機器の安定した固定を実現でき、機構的な接続の信頼性を向上させることができる。
【００１１】
（適用例３）上記適用例に係るプロジェクターにおいて、前記コネクト部は、前記電子機器を電気的に前記プロジェクターの本体と接続するコネクターと、前記コネクターを回動可能に支持する回動支持部と、を備えていることが好ましい。
【００１２】
このようなプロジェクターによれば、電子機器との接続や回動を行わせる構造を簡易に実現できる。
【００１３】
（適用例４）上記適用例に係るプロジェクターにおいて、前記接続部は前記コネクターを所定の角度で起立させるように前記コネクターを付勢する付勢部を備えていることが好ましい。
【００１４】
このようなプロジェクターによれば、電子機器をコネクターに接続する場合、付勢部によりコネクターを起立させる方向に付勢することで、コネクターが傾くことを防止できるため、電子機器をコネクターに接続し易くなる。
【００１５】
（適用例５）上記適用例に係るプロジェクターにおいて、前記コネクト部に前記電子機器が装着された場合、当該電子機器の自重により、前記電子機器は前記付勢に抗して前記受部側に回動し、前記受部に当接することが好ましい。
【００１６】
このようなプロジェクターによれば、電子機器をプロジェクター本体に穏やかに当接させることができる。これにより、コネクト部は、コネクト部に電子機器を接続して載置することと併せて、コネクト部への応力集中を低減し、接続した電子機器の安定した固定を実現できる。従って、電子機器でのキー操作が確実に行え、プロジェクター内部との安定した情報の伝達が可能となる。これにより、プロジェクターでの安定した投写及び音声出力等を行うことができる。
【００１７】
（適用例６）上記適用例に係るプロジェクターにおいて、前記コネクト部は、前記プロジェクターの本体とは別部材で構成される移動部に配設されており、該移動部を移動させることで、前記コネクト部は前記電子機器を装着可能な露出状態になることが好ましい。
【００１８】
このようなプロジェクターによれば、コネクト部は使用する場合のみ外部に露出させることでよいため、塵埃がコネクト部に付着する等の外的要因による接続への影響を低減でき、外部の電子機器（例えば、メディアプレーヤー）との電気的な接続の信頼性を向上させることができる。また、プロジェクターのデザインの自由度も向上させることができる。ここで移動部は、典型的にはコネクト部を保持する保持部材である。そして、該保持部材を直線的にプロジェクター内部からスライド移動させることで収納されていたコネクト部を露出させてもよいし、該保持部材を垂直方向に向けた状態から略水平方向に向く程度、該保持部材とプロジェクター本体との接続部を中心として回転させることで格納されていたコネクト部を露出させてもよい。なお、本願の実施例では前者の直線的移動についてのみ説明している。
【００１９】
（適用例７）上記適用例に係るプロジェクターにおいて、前記接続部は、前記移動部を前記プロジェクターの本体に対して出入り移動させるための駆動機構部を備えていることが好ましい。
【００２０】
このようなプロジェクターによれば、コネクト部を保持する移動部をプロジェクター本体から送出し、使用しない場合には移動部をプロジェクター本体に送入させることができる。
【００２１】
（適用例８）上記適用例に係るプロジェクターにおいて、前記駆動機構部は、前記移動部を直線状に移動させるためのスライド機構部を備え、前記スライド機構部は、前記移動部を出入りさせる送出方向に沿って該移動部に設置されるスライド用ラックと、前記プロジェクターの本体に配置され、前記スライド用ラックと噛み合うスライド用ピニオンと、を備えていることが好ましい。
【００２２】
このようなプロジェクターによれば、スライド機構部により移動部をスライドさせることで、安定した送出動作を行うことができる。また、簡易な構成で実現できる。
【図面の簡単な説明】
【００２３】
【図１】実施形態に係るプロジェクターの機能ブロック図。
【図２】接続部にメディアプレーヤーを設置した状態を示す概斜視図。
【図３】プロジェクターの概側断面図。
【図４】接続部の収容状態を示す図。
【図５】接続部の収容状態を示す概斜視図。
【図６】接続部の送出状態を示す図。
【図７】接続部の送出状態を示す概斜視図。
【発明を実施するための形態】
【００２４】
以下、実施形態を図面に基づいて説明する。
（実施形態）
【００２５】
図１は、実施形態に係るプロジェクター１の機能ブロック図である。図１を参照して、プロジェクター１の構成と動作を説明する。
【００２６】
プロジェクター１は、操作パネル１１、操作信号処理部１２、制御部１３、コネクト部５０、外部機器コネクト部１４、入力選択部１５、映像音声信号処理部１６、液晶ライトバルブ駆動部１７、光学ユニット１８、音声出力部１９等を備えている。なお、光学ユニット１８は、光源１８１、液晶ライトバルブ１８２、投写レンズ部１８３等を有して構成される。
【００２７】
コネクト部５０は、後述するスライド移動を行う移動部４０（図２参照）に設置され、携帯型のメディアプレーヤー１００が接続される。また、外部機器コネクト部１４は、各種のコネクター（図示省略）を有しており、ＰＣ（パーソナルコンピューター）、ビデオテープレコーダー、ＤＶＤ（Digital Versatile Disk）プレーヤー等の外部接続機器（図示省略）を接続することができる。
【００２８】
操作パネル１１は、プロジェクター１の外装を構成する筺体２０（図２参照）の外面に設けられ、ユーザーの操作入力を受け付けるためのものである。ユーザーが操作パネル１１に配置されたキースイッチを押下すると、それに対応した操作信号が操作信号処理部１２に出力される。操作信号処理部１２は、操作パネル１１が出力した操作信号を受け取り、デジタル信号に変換する等の処理を施して、制御部１３に出力する。
【００２９】
制御部１３は、入力選択部１５、映像音声信号処理部１６、光学ユニット１８（光源１８１）等の動作、及びメディアプレーヤー１００の一部の動作を制御する。制御部１３は、マイコンやＣＰＵ（Central Processing Unit）の演算装置と、その動作を規定する制御プログラムで構成される。
【００３０】
入力選択部１５は、制御部１３からの信号により、プロジェクター１に接続する（映像音声信号処理部１６に映像信号や音声信号を入力させる）外部機器（メディアプレーヤー１００並びにいずれかの外部接続機器）を切換える。
【００３１】
ここで、制御部１３からの信号により、入力選択部１５がメディアプレーヤー１００を選択した場合を例にして、以降の構成部の説明を行う。
入力選択部１５により選択されたメディアプレーヤー１００は、メディアプレーヤー１００内部に格納されている映像情報と音声情報を、映像信号と音声信号としてコネクト部５０を介して出力する。出力された映像信号と音声信号は、映像音声信号処理部１６に入力する。
【００３２】
映像音声信号処理部１６は、メディアプレーヤー１００が出力する映像信号を受け取り、制御部１３の指示に基づき、入力した映像信号を出力映像信号として生成し、液晶ライトバルブ駆動部１７に出力する。また、映像音声信号処理部１６は、メディアプレーヤー１００が出力する音声信号を受け取り、制御部１３の指示に基づき、入力した音声信号を出力音声信号として生成し、音声出力部１９に出力する。
【００３３】
光源１８１は、スクリーン（図示省略）等に映像を投写するための光の供給部であり、液晶ライトバルブ１８２に向けて光を射出する。光源１８１は、本実施形態では、放電式ランプを用いている。なお、光源１８１は、放電式ランプの他、レーザーダイオード、ＬＥＤ（Light Emitting Diode）、有機ＥＬ（Electro Luminescence）素子、シリコン発光素子等の各種固体発光素子等を用いて構成することができる。
【００３４】
液晶ライトバルブ駆動部１７は、映像音声信号処理部１６が出力する出力映像信号に基づき、液晶ライトバルブ１８２を駆動する。液晶ライトバルブ１８２は、複数の画素（図示省略）がマトリクス状に形成されており、液晶ライトバルブ駆動部１７により各画素の透過率が調整されることで、光源１８１から射出された光を変調し、投写レンズ部１８３に向けて射出する。なお、光変調装置としての液晶ライトバルブ１８２は、本実施形態では、透過型の液晶パネルを採用している。しかし、これに限られず、反射型の液晶パネルを採用してもよい。
【００３５】
液晶ライトバルブ１８２から射出された光は、投写レンズ部１８３によってスクリーン上に拡大投写される。投写レンズ部１８３には、投写光の焦点を変更可能なフォーカス機構（図示省略）と、投写光の拡大率を変更可能なズーム機構（図示省略）とが備えられている。
【００３６】
音声出力部１９は、スピーカー等で構成され、映像音声信号処理部１６が出力する出力音声信号に基づき、音声出力を行う。
【００３７】
図２は、プロジェクター１の接続部３０にメディアプレーヤー１００を設置した状態を示す概斜視図である。図３は、プロジェクター１の概側断面図であり、図３（ａ）は、移動部４０がプロジェクター１内部に送入された状態を示す概側断面図であり、図３（ｂ）は、移動部４０がプロジェクター１内部から送り出された状態を示すと共に、メディアプレーヤー１００をコネクト部５０（コネクター５１１）に接続（装着）した状態を示す概側断面図であり、図３（ｃ）は、メディアプレーヤー１００を使用する状態を示す概側断面図である。図２、図３を参照して、プロジェクター１の外観的な構成と、接続部３０の概略の動作を説明する。
【００３８】
本実施形態のプロジェクター１は、図２に示すように、携帯型のメディアプレーヤー１００と接続し、メディアプレーヤー１００に格納される映像情報や音声情報を入力し、映像を投写レンズ２３から投写させ、音声をスピーカー２２から出力させることができる。
【００３９】
図２に示すように、プロジェクター１は、外装が略６面体の箱型形状に形成される筺体２０で構成されている。なお、筺体２０の６面を、前面２０ａ、背面２０ｂ、右面２０ｃ、左面２０ｄ、上面２０ｅ、底面２０ｆとする。
【００４０】
なお、本実施形態を説明する図面（図２及び以降で説明する図）は、説明の便宜上、ＸＹＺ直交座標系を用いて示す。詳細には、プロジェクター１において、背面２０ｂ側から前面２０ａ側の方向をＹ軸方向（＋Ｙ方向）とする。また、Ｙ軸方向に直交してプロジェクター１の左面２０ｄ側から右面２０ｃ側の方向をＸ軸方向（＋Ｘ方向）、Ｙ軸方向およびＸ軸方向に直交する底面２０ｆ側から上面２０ｅ側の方向をＺ軸方向（＋Ｚ方向）とする。なお、＋Ｙ方向を前方向（−Ｙ方向を後方向）、＋Ｘ方向を右方向（−Ｘ方向を左方向）、＋Ｚ方向を上方向（−Ｚ方向を下方向）として、適宜使用する。
【００４１】
接続部３０は、詳細は後述するが、メディアプレーヤー１００を接続して載置するコネクト部５０と、コネクト部５０を回動自在に保持する移動部４０と、移動部４０を移動（スライド）させる駆動機構部としてのスライド機構部６０等を有して構成されている。
【００４２】
図３（ａ）に示すように、接続部３０を使用しない状態では、接続部３０（移動部４０、コネクト部５０）は、プロジェクター１の筺体２０内部に収容（送入）された状態となっている。但し、移動部４０の先端部（移動部４０の＋Ｙ方向の端部）が前面２０ａ（垂直面２０１ｂ）から突出している。以降、この状態を「収容状態」と称して適宜使用する。また、図２に示すように、接続部３０は、前面２０ａの左右方向の略中央にメディアプレーヤー１００が位置するように設置されている。
【００４３】
図３（ｂ）に示すように、移動部４０は、後述する駆動機構部（スライド機構部６０）により、プロジェクター１内部から送出方向（＋Ｙ方向）に送り出される。以降、この状態を「送出状態」と称して適宜使用する。この送出状態で、メディアプレーヤー１００を、移動部４０に回動自在に保持されるコネクト部５０（コネクター５１１）に接続（装着）する。
【００４４】
なお、本実施形態では、コネクター５１１は、移動部４０の送出方向（＋Ｙ方向）に対して垂直方向（＋Ｚ方向）からプロジェクター１本体側（筺体２０側）に所定の角度として約１５度傾斜した状態で設置されている。このコネクター５１１の角度（＋Ｚ方向（上方向）に対して約１５度筺体２０側に傾斜した角度）を「初期角度」と称して、適宜使用する。なお、送出状態において、メディアプレーヤー１００は、このような初期角度を有するコネクター５１１に対して上方から装着する。
【００４５】
コネクト部５０にメディアプレーヤー１００を装着した場合、メディアプレーヤー１００の自重により、コネクト部５０が筺体２０側に回転し、図３（ｃ）に示すように、メディアプレーヤー１００の背面１０２が筺体２０の前面２０ａに設置される受部２５に当接して回転が止まる。この状態が、メディアプレーヤー１００を使用する状態となる。以降、この状態を「使用状態」と称して適宜使用する。なお、筺体２０の前面２０ａは、図３（ａ）に示すように、＋Ｚ方向（上方向）に対して角度θ１を有する傾斜面２０１ａで構成され、その傾斜面２０１ａに受部２５が設置されている。
【００４６】
図３（ｃ）に示すように、本実施形態では、メディアプレーヤー１００が受部２５に当接した場合、メディアプレーヤー１００は、傾斜面２０１ａに略平行（角度θ１）となるように設置される。また、受部２５の面に対しても略平行となるように設置される。この角度θ１は、メディアプレーヤー１００の厚さや平面サイズ、及びメディアプレーヤー１００を使用する際に、メディアプレーヤー１００の表示部１０１の見易さやキー１０３操作のし易さ等を考慮して設定されている。
【００４７】
なお、接続部３０を収容状態から送出状態とさせるには、後述するが、移動部４０の先端部を筺体２０側（−Ｙ方向）に若干押すことにより、後述するラッチ部６４（図４参照）のロックが解除されて、スライド機構部６０が動作し、移動部４０がスライドを開始して送出状態となる。また、接続部３０を送出状態から収容状態とさせるには、移動部４０の先端部を筺体２０側（−Ｙ方向）に押し続け、移動部４０を筺体２０内部に押し込むことで、ラッチ部６４により移動部４０がロックされて収容状態となる。
【００４８】
プロジェクター１の筺体２０は、図２に示すように、前面２０ａにおいて、傾斜面２０１ａと垂直面２０１ｂとの境を通るＸＹ平面で分割されて、上方向（＋Ｚ方向）の筺体２０を構成する上ケース２１ａと、下方向（−Ｚ方向）の筺体２０を構成する下ケース２１ｂと、背面２０ｂ側の筺体２０を構成する背面ケース２１ｃとを有して構成されている。接続部３０は、前面２０ａの下部となる垂直面２０１ｂの左右方向略中央で、底面２０ｆに沿った形態で筺体２０（下ケース２１ｂ）内部に設置される。
【００４９】
プロジェクター１は、図２に示すように、メディアプレーヤー１００が載置された左右方向の前面２０ａ（傾斜面２０１ａ）において、筺体２０（上ケース２１ａ）内部に音声出力部１９を構成するスピーカー２２が設置され、メディアプレーヤー１００からの音声が出力される。また、プロジェクター１は、背面２０ｂにおいて、筺体２０（背面ケース２１ｃ）内部に投写レンズ部１８３を構成する投写レンズ２３が設置され、メディアプレーヤー１００からの映像が−Ｙ方向に投写される。
【００５０】
図４は、接続部３０の収容状態を示す図であり、図４（ａ）は、接続部３０の概側面図であり、図４（ｂ）は、接続部３０の概平面図である。図５は、接続部３０の収容状態を示す概斜視図であり、図５（ａ）は、移動部４０の移動用下ケース４２と、コネクト部５０の斜視図であり、図５（ｂ）は、図５（ａ）に移動部４０の移動用上ケース４１を組付けた斜視図であり、図５（ｃ）は、図５（ｂ）に接続部３０を覆う接続用カバー７０を組付けた斜視図である。図４、図５を参照して、接続部３０の構成に関して説明する。
【００５１】
接続部３０は、メディアプレーヤー１００を挿脱自在に接続して載置するコネクト部５０と、コネクト部５０を回動自在に保持する移動部４０と、移動部４０を筺体２０に対して送出及び送入自在に駆動（スライド駆動）する駆動機構部としてのスライド機構部６０等を有して構成されている。
【００５２】
移動部４０は、移動用上ケース４１と移動用下ケース４２とを有して構成されている。移動用下ケース４２は、略矩形の箱状に形成されている。また、移動用下ケース４２の−Ｙ方向には、切欠き部４２１が形成されている。移動用下ケース４２の＋Ｙ方向には、コネクト部５０の後述する軸部５３１を回動自在に保持する保持部４２２が一対形成されている。また、移動用下ケース４２の前側端部の中央には、後述するコネクター５１１を起立させる角度を規制する規制部としての回動規制部４３が所定の高さで突出して形成されている。
【００５３】
移動用下ケース４２の左右方向（Ｘ軸方向）の側面にはスライド用ラック６１が形成されている。また、スライド用ラック６１は、筺体２０の下ケース２１ｂに設置されるスライド用ピニオン６２（６２ａ，６２ｂ）とそれぞれ噛み合っている。本実施形態のスライド用ピニオン６２は、いわゆるオイルダンパーで構成されている。なお、スライド用ラック６１及びスライド用ピニオン６２は、後述するスライド機構部６０を構成している。
【００５４】
移動用上ケース４１は、図４（ｂ）、図５（ｂ）に示すように、移動用下ケース４２と略相似形状で箱状に形成されている。また、移動用上ケース４１の−Ｙ方向には、移動用下ケース４２の切欠き部４２１に相対して切欠き部４１１を有している。なお、切欠き部４１１には、後述するラッチ部６４を構成する係合突起６４２が形成されている。係合突起６４２は、切欠き部４１１から−Ｙ方向に突出するように形成されている。
【００５５】
移動用上ケース４１は、ネジ孔部（図示省略）を有しており、移動用下ケース４２の４つのネジ案内部４２３（図５（ａ）参照）と共に、ネジ（図示省略）により移動用下ケース４２と一体に固定される。
【００５６】
移動用上ケース４１の上面４１ａには、前方向から後方向に傾斜する傾斜面４１ｂが形成されている。この傾斜面４１ｂに開口部４１２が形成される。また、その開口部４１２の後方向の上面４１ａに開口部４１３が形成されている。一方の開口部４１２は、コネクト部５０のコネクター５１１を含めた前側を露出させている。また、他方の開口部４１３は、コネクト部５０の後述する回路基板５１に実装されるケーブル用コネクター５１２等を露出させている。なお、ケーブル用コネクター５１２は、コネクター５１１からの信号をメイン基板（図示省略）側に伝達する接続ケーブル（図示省略）を、この開口部４１３を介して接続している。
【００５７】
移動用上ケース４１の上面４１ａには、Ｙ軸方向の中央から−Ｙ方向端部にかけて、凹状に形成されるバネ収容溝４１４が開口部４１３の両側に一対形成されている。バネ収容溝４１４には、後述するスライド用バネ６３がそれぞれ収容される。また、移動用上ケース４１の上面４１ａには、後述する接続用カバー７０の切欠き部７０４を塞ぐ遮蔽部４１５が立設されている。
【００５８】
コネクト部５０は、ベースとなるコネクト用フレーム５２と、コネクト用フレーム５２に固定される回路基板５１と、コネクト用フレーム５２を覆うようにコネクト用フレーム５２に固定されるコネクト用カバー５３とを有して構成される。コネクト用フレーム５２は、本実施形態では、金属製の板部材の曲げ加工等で形成されている。回路基板５１は、いわゆるリジッド基板で形成され、メディアプレーヤー１００との接続用のコネクター５１１、及び接続ケーブルを接続するケーブル用コネクター５１２等が実装される。なお、コネクター５１１は、回路基板５１面の垂直方向に対して筺体２０側に約１５度傾いた状態で実装されている。
【００５９】
コネクト用カバー５３の上面５３ａには、前方向から後方向に傾斜する傾斜面５３ｂが形成されている。この傾斜面５３ｂからコネクター５１１が延出する状態となる。なお、傾斜面５３ｂに対してコネクター５１１は略垂直に延出している。また、コネクト部５０が移動部４０に回動自在に組み立てられた場合、後述する付勢バネ５６により、移動用上ケース４１の開口部４１２から、コネクト部５０のコネクター５１１を含む前側が露出する。そして、コネクト部５０の傾斜面５３ｂは、移動用上ケース４１の傾斜面４１ｂから所定量突出し、傾斜面４１ｂに略平行となる。
【００６０】
コネクト用カバー５３は、図５（ａ）に示すように、前側で、左右方向（Ｘ軸方向）の側面に移動部４０に対して回動する回動支持部としての軸部５３１が一対形成されている。コネクト用カバー５３の前側端部には、固定部５３２が形成され、また、後側両端部には、係合片５３３が形成されている。
【００６１】
コネクト部５０を組み立てる場合、図４（ｂ）、図５（ｂ）に示すように、回路基板５１をコネクト用フレーム５２にネジ５０１で固定した後、コネクト用カバー５３をコネクト用フレーム５２に固定する。詳細には、コネクト用カバー５３は、図５（ａ）に示すように、コネクト用フレーム５２に対して、係合片５３３を係合させ、固定部５３２のネジ案内孔（図示省略）からコネクト用フレーム５２のネジ孔（図示省略）にネジ５０２を螺合させることにより、コネクト用フレーム５２に固定する。これにより、コネクト部５０が組み立てられる。
【００６２】
なお、組み立てられたコネクト部５０を移動用下ケース４２に保持させる場合、図５（ａ）に示すように、上述した一対の軸部５３１に付勢バネ５６をそれぞれ取り付けた後、軸部５３１を移動用下ケース４２の保持部４２２に保持させる。なお、２つの付勢バネ５６は、ねじりコイルバネで形成されており、軸部５３１に付勢バネ５６をそれぞれ取り付けた後、付勢バネ５６の一端部を移動用下ケース４２の溝部４２４に挿入し、他端部をコネクト部５０のコネクト用フレーム５２の底面側に引っ掛けて設置される。なお、付勢バネ５６は、コネクター５１１を起立させる方向に付勢している。
【００６３】
これにより、コネクト部５０の傾斜面５３ｂは、図４（ａ）、図５（ｂ）に示すように、移動用上ケース４１の傾斜面４１ｂに略平行となる。また、コネクター５１１は、初期角度（＋Ｚ軸方向（上方向）に対して約１５度筺体２０側に傾いた状態）となる。また、コネクト部５０は、軸部５３１を支軸として移動部４０に対して回動自在となる。
【００６４】
なお、本実施形態では、移動部４０（移動用下ケース４２）に回動規制部４３が形成されている。回動規制部４３は、図４（ａ）に示すように、コネクター５１１が、初期角度を縮める方向（筺体２０側とは反対方向）への回転を規制している。詳細には、回動規制部４３は、図４（ａ）、図５（ａ）に示すように、コネクト部５０のコネクト用フレーム５２の前側端部と当接することにより、コネクト部５０の回転を規制する。
【００６５】
また、本実施形態では、コネクト部５０（コネクター５１１）の筺体２０側への最大の回動角度は、図６（ａ）に示すように、＋Ｚ軸方向（上方向）に対して約３０度に規制している。従って、コネクター５１１は、本実施形態では、１５度から３０度の範囲で回動可能としている。なお、付勢バネ５６は、常にコネクト部５０を筺体２０側とは反対方向に回転させるように付勢している。また、コネクター５１１の初期角度や最大回動角度は、接続部３０やメディアプレーヤー１００のサイズ等の要件を含め総合的に最適となるように設定されている。
【００６６】
スライド機構部６０は、移動部４０（移動用下ケース４２）の左右側面に形成されるスライド用ラック６１（右側面（＋Ｘ方向）側をスライド用ラック６１ａ、左側面（−Ｘ方向）側をスライド用ラック６１ｂ）を有している。また、スライド機構部６０は、スライド用ラック６１にそれぞれ噛み合うスライド用ピニオン６２（右側（＋Ｘ方向）をスライド用ピニオン６２ａ、左側（−Ｘ方向）をスライド用ピニオン６２ｂ）を有している。なお、スライド用ピニオン６２は、上述したように、いわゆるオイルダンパーで構成されている。また、スライド用ピニオン６２は、スライド用ラック６１にかみ合わせた状態で、筺体２０の下ケース２１ｂの所定の位置でネジ固定される。上述した、２つのスライド用ラック６１（６１ａ，６１ｂ）は、同様の仕様で構成されている。また、２つのスライド用ピニオン６２（６２ａ，６２ｂ）も、同様の仕様で構成されている。
【００６７】
スライド機構部６０は、移動部４０に対して送出方向（＋Ｙ方向）に付勢力を付与するスライド用バネ６３（右側（＋Ｘ方向）をスライド用バネ６３ａ、左側（−Ｘ方向）をスライド用バネ６３ｂ）を有している。なお、スライド用バネ６３は、それぞれ、図４（ｂ）に示すように、移動部４０の移動用上ケース４１のバネ収容溝４１４に収容される。なお、２つのスライド用バネ６３（６３ａ，６３ｂ）は、圧縮コイルバネで形成され、同様の仕様となっている。
【００６８】
接続部３０は、移動部４０やコネクト部５０を覆う接続用カバー７０を備えている。接続用カバー７０は、図５（ｃ）に示すように、接続部３０の左右方向（Ｘ軸方向）及び上下方向（Ｚ軸方向）を規制して、スライド機構部６０による移動部４０の前後方向（Ｙ軸方向）への移動（スライド）を自在としている。
【００６９】
接続用カバー７０は、矩形の箱状に形成され、上面７０ａには、コネクター５１１やケーブル用コネクター５１２を逃げる開口部７０１が形成されている。また、接続用カバー７０は、移動用上ケース４１に形成される一対のバネ収容溝４１４を上方から覆っており、その覆っている一部には、スライド用バネ６３をバネ収容溝４１４に挿入するための挿入孔７０２が一対形成されている。また、この一対の挿入孔７０２の後方向（−Ｙ方向）には、スライド用バネ６３の−Ｙ方向側端部が−Ｙ方向へ移動しないように固定する固定突起７０３が、上面７０ａの内面側からバネ収容溝４１４の内部に入り込む状態で突出して形成されている。
【００７０】
接続用カバー７０の上面７０ａには、接続用カバー７０の上方（＋Ｚ方向）に位置するメイン基板（図示省略）を固定する基板固定用ネジ部７０８が形成されている。この基板固定用ネジ部７０８にメイン基板を載置し、メイン基板の上面からネジを挿通して基板固定用ネジ部７０８にネジ固定する。
【００７１】
接続用カバー７０の上面７０ａには、開口部７０１の−Ｙ方向の内面側に、移動部４０（移動用上ケース４１）に形成する係合突起６４２に相対して、ラッチ部６４を構成するラッチ本体６４１が設置されている。
【００７２】
接続用カバー７０の前面７０ｂには、コネクター５１１が移動する際に通過する切欠き部７０４が形成されている。なお、前面７０ｂは、筺体２０の前面２０ａにおける垂直面２０１ｂも構成している。
【００７３】
接続用カバー７０の右面７０ｃ、左面７０ｄには、下ケース２１ｂの底面２０ｆから突出して形成される固定用ネジ部（図示省略）に接続用カバー７０を固定するためのネジ案内部７０５が、片面に２つずつ計４つ形成されている。また、接続用カバー７０の右面７０ｃ、左面７０ｄには、下ケース２１ｂに固定したスライド用ピニオン６２を上方から押えるピニオン押え７０６がそれぞれ１つ形成されている。
【００７４】
接続用カバー７０は、移動部４０の上方から固定用ネジ部に載置して、ネジ（図示省略）をネジ案内部７０５から挿入し、固定用ネジ部にネジ固定することにより、移動部４０を覆う状態で、接続用カバー７０を下ケース２１ｂの底面２０ｆに固定する。この固定により、スライド用ピニオン６２もピニオン押え７０６により上方から押えられる。以上により、移動部４０が下ケース２１ｂの底面２０ｆと接続用カバー７０とに挟持された状態で保持される。
【００７５】
なお、スライド用バネ６３は、接続用カバー７０を下ケース２１ｂに固定した後、挿入孔７０２からバネ収容溝４１４に挿入（詳細には、バネ収容溝４１４の＋Ｙ方向に向けて挿入）し、スライド用バネ６３をバネ収容溝４１４内に収容させる。
以上により、接続部３０の組み立てが完了する。
【００７６】
図６は、接続部３０の送出状態を示す図であり、図６（ａ）は、コネクト部５０が最大に傾いた状態での概側面図であり、図６（ｂ）は、コネクト部５０の通常の傾きでの概側面図であり、図６（ｃ）は、接続部３０の概平面図である。図７は、接続部３０の送出状態を示す概斜視図であり、図７（ａ）は、移動部４０の移動用下ケース４２と、コネクト部５０の斜視図であり、図７（ｂ）は、図７（ａ）に移動部４０の移動用上ケース４１を組付けた斜視図であり、図７（ｃ）は、図７（ｂ）に接続部３０を覆う接続用カバー７０を組付けた斜視図である。図４〜図７を参照して、接続部３０の動作に関して説明する。
【００７７】
図４（ｂ）に示すように、ラッチ部６４は、上述したように、ラッチ本体６４１と係合突起６４２とを有して構成されており、係合突起６４２がラッチ本体６４１内部に挿入されることにより、ロックする。接続部３０は、ラッチ部６４がロックすることで、収容状態を維持する。
【００７８】
収容状態において、接続部３０は、筺体２０内部に挿入された状態となっており、移動部４０の先端部のみが筺体２０から突出した状態となっている。また、スライド機構部６０のスライド用ラック６１は、その＋Ｙ方向の端部がスライド用ピニオン６２と噛み合っている。また、２つのスライド用バネ６３は、それぞれのバネ収容溝４１４内で、接続用カバー７０の固定突起７０３により、圧縮された状態となっている。
【００７９】
接続部３０を、図４に示す収容状態から図６に示す送出状態とするには、収容状態の接続部３０に対して、移動部４０の先端部を筺体２０側に押圧（プッシュ）することにより、ラッチ部６４のロックが解除される（ラッチ本体６４１と係合突起６４２の係合が外れる）。ロックが解除された場合、圧縮された２つのスライド用バネ６３の付勢力により、２つのスライド用ラック６１が、それぞれのスライド用ピニオン６２と噛み合いながら、前方向（＋Ｙ方向）への移動（スライド）が開始する。
【００８０】
この動作により、移動部４０が前方向へのスライドを開始する。なお、スライド用ピニオン６２は、上述したようにオイルダンパーで構成されており、オイルダンパーのトルクにより、送出速度が所望の速度となるように制御されて送出される。
【００８１】
なお、接続部３０には、図示省略する移動規制部が設置されており、移動部４０の移動量（送出量）を規制している。そのため、接続部３０が、所定の移動量だけ送出した場合、移動規制部により移動部４０の移動が規制されてその位置で停止する。この状態が、図６に示す送出状態となる。
【００８２】
送出状態となった場合、次に、メディアプレーヤー１００をコネクター５１１に接続（挿入）する。コネクター５１１にメディアプレーヤー１００を接続した場合、メディアプレーヤー１００の底面がコネクト部５０（コネクト用カバー５３）の傾斜面５３ｂに当接して載置される状態となる。また、コネクター５１１にメディアプレーヤー１００を接続した場合、図６（ｂ）に示すように、コネクター５１１は、＋Ｚ方向（上方向）に対して約１５度筺体２０側に傾斜した状態となっているため、メディアプレーヤー１００の自重により、筺体２０側にコネクト部５０と一緒に回転する。
【００８３】
なお、コネクト部５０は、付勢バネ５６により、常にコネクト部５０を筺体２０側とは反対方向に回転させる付勢力により付勢されている。しかし、本実施形態の付勢バネ５６の付勢力は、メディアプレーヤー１００の自重によるコネクト部５０を筺体２０側に回転させる付勢力に比較して小さくなるように設定されている。従って、メディアプレーヤー１００及びコネクト部５０は、付勢バネ５６の付勢力に抗して筺体２０側に回転する。
【００８４】
メディアプレーヤー１００は、筺体２０側に回転し、図３（ｃ）に示したように、筺体２０（前面２０ａ）に設置される受部２５にメディアプレーヤー１００の背面１０２が当接して回転を停止する。本実施形態では、コネクト部５０（コネクター５１１）の回動角度が１５度から３０度まで回動可能としており、筺体２０（前面２０ａ）の傾斜面２０１ａの角度θ１は、この範囲内で設定されている。
【００８５】
また、本実施形態では、図６（ａ）に示すように、コネクト部５０（コネクター５１１）を最大回動角度の約３０度まで回転させた場合、コネクト部５０のメディアプレーヤー１００の底面が当接する傾斜面５３ｂは、移動部４０の傾斜面４１ｂより上方向（＋Ｚ方向）に突出する。従って、コネクト部５０にメディアプレーヤー１００を載置して受部２５に当接させた場合にも、メディアプレーヤー１００の底面は、移動部４０の傾斜面４１ｂに当接しない。
【００８６】
プロジェクター１は、この送出状態で、メディアプレーヤー１００を操作し、メディアプレーヤー１００内部に格納される映像情報や音声情報をプロジェクター１内部に取り込み、プロジェクター１から映像の投写や音声出力を行う。
【００８７】
なお、送出状態となった場合、図７（ｃ）に示すように、コネクター５１１が通過した接続用カバー７０の切欠き部７０４を、遮蔽部４１５が塞ぐように位置することで、外観的な見栄えを向上させている。
【００８８】
次に、接続部３０を送出状態から収容状態にさせる場合、最初に、コネクト部５０に接続したメディアプレーヤー１００をコネクター５１１から外す。これにより、コネクター５１１は、付勢バネ５６により、再び初期角度の状態に戻る。
【００８９】
次に、送出状態の接続部３０に対して、移動部４０の先端部を筺体２０側（−Ｙ方向）に押圧（プッシュ）し続ける。この動作により、スライド用ラック６１が、スライド用ピニオン６２を送出時とは逆方向に回転させることにより、移動部４０が筺体２０側に移動（送入）を開始する。送入を継続させることで、係合突起６４２がラッチ本体６４１内部に挿入されることにより、ラッチ部６４がロックする。これにより、接続部３０は、収容状態となる。
以上の動作により、接続部３０の一連の動作が完了する。
【００９０】
上述した実施形態によれば、以下の効果が得られる。
本実施形態のプロジェクター１によれば、メディアプレーヤー１００を載置する接続部３０を備えており、接続部３０を使用する場合に、スライド機構部６０により、移動部４０を筺体２０から送出し、使用しない場合には移動部４０を筺体２０内に送入させることができる。これにより、コネクト部５０は使用する場合のみ外部に露出させることでよいため、塵埃がコネクト部５０（コネクター５１１）に付着する等の外的要因による接続への影響を低減でき、メディアプレーヤー１００との電気的な接続の信頼性を向上させることができる。また、プロジェクター１のデザインの自由度も向上させることができる。
【００９１】
本実施形態のプロジェクター１によれば、コネクト部５０は、コネクター５１１と回動支持部としての軸部５３１を備えることにより、メディアプレーヤー１００との接続や、移動部４０に対する回動を行わせる構造を簡易に実現できる。
【００９２】
本実施形態のプロジェクター１によれば、コネクター５１１は、初期角度を有して設置されている。詳細には、コネクター５１１は、移動部４０の送出方向（＋Ｙ方向）に対して垂直方向（＋Ｚ方向）からプロジェクター１本体側（筺体２０側）に所定の角度として約１５度傾斜した状態で設置されている。これにより、メディアプレーヤー１００をコネクター５１１に接続し易くなる。また、接続したメディアプレーヤー１００を筺体２０側に回転させ易くなる。
【００９３】
本実施形態のプロジェクター１によれば、メディアプレーヤー１００をコネクター５１１に接続する場合、付勢部としての付勢バネ５６によりコネクター５１１を起立させる方向に付勢することで、コネクター５１１が傾くことを防止できるため、メディアプレーヤー１００をコネクター５１１に接続し易くなる。
【００９４】
本実施形態のプロジェクター１によれば、規制部としての回動規制部４３を備えていることによりコネクター５１１を適切な起立角度（本実施形態では初期角度としての約１５度）に規制して保持させることができるため、メディアプレーヤー１００をコネクター５１１に接続し易くなる。
【００９５】
本実施形態のプロジェクター１によれば、接続部３０が送出状態で、メディアプレーヤー１００を設置されたコネクト部５０が、メディアプレーヤー１００の自重により、コネクター５１１を起立させる方向に付勢する付勢バネ５６の付勢力に抗して、筺体２０側に回転することにより、メディアプレーヤー１００を筺体２０（受部２５）に当接させることができる。これにより、コネクト部５０（コネクター５１１）への応力集中を低減し、接続したメディアプレーヤー１００の安定した固定を実現できる。また、メディアプレーヤー１００を安定して固定できるため、メディアプレーヤー１００でのキー１０３の操作が確実に行え、プロジェクター１内部との安定した情報の伝達が可能となる。これにより、プロジェクター１での安定した投写及び音声出力等を行うことができる。
【００９６】
本実施形態のプロジェクター１によれば、スライド機構部６０により移動部４０をスライドさせることで、安定した送出動作を行うことができる。また、スライド機構部６０は、スライド用ラック６１とスライド用ピニオン６２とスライド用バネ６３とを備えて構成されるため、スライド機構部６０を簡易な構成で実現できる。
【００９７】
本実施形態のプロジェクター１によれば、受部２５を備えることにより、コネクト部５０に載置したメディアプレーヤー１００を受部２５に当接させることで、メディアプレーヤー１００に対して、機構的に安定した載置（固定）を行うことができ、電気的に安定した接続が行える。従って、メディアプレーヤー１００とコネクト部５０（プロジェクター１）との電気的及び機構的な接続の信頼性を向上させることができる。
【００９８】
本実施形態のプロジェクター１によれば、スライド機構部６０は、一対のスライド用ラック６１（６１ａ，６１ｂ）と、それに噛み合う一対のスライド用ピニオン６２（６２ａ，６２ｂ）とを備え、また、一対のスライド用バネ６３（６３ａ，６３ｂ）を備えている。これにより、移動部４０の送出と送入のスライド移動を安定させることができる。
【００９９】
本実施形態のプロジェクター１によれば、スライド用ピニオン６２（６２ａ，６２ｂ）はオイルダンパーで構成されているため、送出速度を所望の速度に調整することができる。
【０１００】
なお、上述した実施形態に限定されず、その要旨を逸脱しない範囲において種々の変更や改良等を加えて実施することが可能である。変形例を以下に述べる。
【０１０１】
前記実施形態のプロジェクター１において、接続部３０と接続したメディアプレーヤー１００内部に格納される情報に対して、メディアプレーヤー１００のキー１０３の操作で、プロジェクター１内部と情報の伝達が可能としている。しかし、これに限られず、プロジェクター１本体に設置される操作パネル１１での操作や、リモコン（リモートコントローラー）等による操作でも、情報の伝達が可能であってもよい。
【０１０２】
前記実施形態のプロジェクター１において、コネクター５１１は、所定の初期角度で、設置されている。詳細には、コネクター５１１は、移動部４０の送出方向（＋Ｙ方向）に対して垂直方向（＋Ｚ方向）から筺体２０側に所定の角度として約１５度傾斜した状態で設置されている。しかし、これに限られず、垂直方向（＋Ｚ方向）から筺体２０側に傾いて設置されていればよく、メディアプレーヤー１００のコネクター５１１への接続のし易さ等を考慮して適宜設定することでよい。また、同様に、コネクター５１１の最大回動角度を約３０度としているが、これに限られず、適宜設定することでよい。
【０１０３】
前記実施形態のプロジェクター１において、コネクター５１１は、回路基板５１面の垂直方向に対して筺体２０側に約１５度傾いた状態で実装されている。しかし、これに限られず、コネクター５１１を、回路基板５１面に垂直となるように実装し、回路基板５１を水平に対し、筺体２０側に約１５度傾けるように構成してもよい。
【０１０４】
前記実施形態のプロジェクター１において、筺体２０の傾斜面２０１ａの角度θ１は、接続部３０に載置するメディアプレーヤー１００の厚さや平面サイズ等を考慮して決めることができる。また、角度θ１は考慮せず、受部２５において、受部２５の材質や厚さ等を考慮してメディアプレーヤー１００を受けることで固定することでもよい。
【０１０５】
前記実施形態のプロジェクター１において、接続部３０を組み立てる場合、移動部４０（スライド用ラック６１）をスライド用ピニオン６２と噛み合わせた後に、接続用カバー７０を固定している。しかし、これに限られず、接続用カバー７０を固定した後に、移動部４０を前方から接続用カバー７０内部に挿入することで、スライド用ラック６１をスライド用ピニオン６２に噛み合わせることで組み立ててもよい。組み立ての順番は、適宜変更することができる。
【０１０６】
前記実施形態のプロジェクター１において、スライド機構部６０の有する、スライド用ラック６１、スライド用ピニオン６２、及びスライド用バネ６３の、数量や取り付け位置等は、適宜設定することができる。
【０１０７】
前記実施形態のプロジェクター１において、コネクト部５０（コネクター５１１）を保持して移動部４０に対して回動する回動支持部として、軸部５３１を有している。また、軸部５３１は、移動部４０の保持部４２２に回動自在に保持される。しかし、この軸部と保持部とを逆に設置して、移動部４０に軸部を有し、コネクト部５０に回動支持部として、軸部を保持する保持部を有していてもよい。
【０１０８】
前記実施形態の光学ユニット１８において、光変調装置として液晶ライトバルブ１８２を採用している。しかし、これに限られず、一般に、入射光束を映像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【符号の説明】
【０１０９】
１…プロジェクター、２０…筺体、２５…受部、３０…接続部、４０…移動部、４３…回動規制部、５０…コネクト部、５６…付勢バネ、６０…スライド機構部、６１…スライド用ラック、６２…スライド用ピニオン、６３…スライド用バネ、６４…ラッチ部、７０…接続用カバー、１００…メディアプレーヤー、５１１…コネクター、５３１…軸部。
【図１】
0005724495.tif 000002
【図２】
0005724495.tif 000003
【図３】
0005724495.tif 000004
【図４】
0005724495.tif 000005
【図５】
0005724495.tif 000006
【図６】
0005724495.tif 000007
【図７】
0005724495.tif 000008